(57)【要約】【課題】ユーザによる映像入力端子の切り替え作業を軽減することができるプロジェクタを提供する。【解決手段】ユーザによるケーブル端子の接続状態を撮像する映像撮像部１６と、ユーザがケーブルを接続しようとする動作であるかどうかを判断する比較判断部１７と、予めケーブル端子形状を記憶しておく記憶部１８と、撮像した映像の中にケーブル端子形状があるかどうかを検出する検出手段と、ケーブル端子形状が検出され、ユーザがそのケーブルを接続しようとする動作である場合に、自動で入力の切り替えを行う入力切替手段と、を有する。【選択図】図１
2015154345.tif 000002
【特許請求の範囲】
【請求項１】
ユーザによるケーブル端子の接続状態を撮像する撮像手段と、
ユーザがケーブルを接続しようとする動作であるかどうかを判断する判断手段と、
予めケーブル端子形状を記憶しておく記憶手段と、
撮像した映像の中に前記ケーブル端子形状があるかどうかを検出する検出手段と、
前記ケーブル端子形状が検出され、ユーザがそのケーブルを接続しようとする動作である場合に、自動で入力の切り替えを行う入力切替手段と、
を有することを特徴とするプロジェクタ。
【発明の詳細な説明】
【技術分野】
【０００１】
本発明は、映像信号の映像をスクリーンに拡大して表示するプロジェクタに関する。
【背景技術】
【０００２】
プロジェクタにおいて、ユーザはコンピュータ、ＨＤＭＩ（登録商標）やビデオ等の映像入力端子を切り替えて対象の機器の映像入力端子を選択し、映像表示を行う。しかし、ユーザは自分が表示する映像信号源に合うまで、映像入力端子を切り替えて選択しなければならないという煩わしい作業がかかってしまうという問題があった。
【０００３】
この問題を解決する手段に、複数の映像入力端子に供給されている複数の映像信号の有無を検出し、その検出結果に基づいて、映像信号の供給されていない映像入力端子に対して映像信号の供給先として切り替えないようにした技術が既に知られている。
【０００４】
特許文献１には、ユーザの切り替え作業の軽減を目的で、複数の映像入力端子に供給されている複数の映像信号の有無を検出し、その検出結果に基づいて、映像信号の供給されていない映像入力端子に対して映像信号の供給先として切り替えないという方法が開示されている。
【発明の概要】
【発明が解決しようとする課題】
【０００５】
しかし、今までの映像検出結果に基づいて映像入力端子を切り替える技術や特許文献１に開示された技術では、結局映像入力信号を入力した後でなければ映像入力信号の切り替えを行えず、また、切り替え作業をユーザに行わせてしまうという問題があった。
【０００６】
本発明は、前記課題を解決するためのものであり、その目的とするところは、ユーザによる映像入力端子の切り替え作業を軽減することができるプロジェクタを提供することである。
【課題を解決するための手段】
【０００７】
かかる目的を達成するために、本発明は、以下の特徴を有する。
【０００８】
本発明に係るプロジェクタは、ユーザによるケーブル端子の接続状態を撮像する撮像手段と、ユーザがケーブルを接続しようとする動作であるかどうかを判断する判断手段と、予めケーブル端子形状を記憶しておく記憶手段と、撮像した映像の中に前記ケーブル端子形状があるかどうかを検出する検出手段と、前記ケーブル端子形状が検出され、ユーザがそのケーブルを接続しようとする動作である場合に、自動で入力の切り替えを行う入力切替手段と、を有することを特徴とする。
【発明の効果】
【０００９】
本発明によれば、ユーザによる映像入力端子の切り替え作業を軽減することができる。
【図面の簡単な説明】
【００１０】
【図１】本実施形態に係るプロジェクタの構成を示すブロック図である。
【図２】本実施形態に係るプロジェクタ１の各部の構成を示す図である。
【図３】映像入力端子の切り替え作業を示すフローチャートである。
【発明を実施するための形態】
【００１１】
以下、本実施形態について図面により詳細に説明する。
【００１２】
図１は、本実施形態に係るプロジェクタ１の構成を示すブロック図である。プロジェクタ１は、映像入力端子部２と映像音声処理部３と主制御部４とランプ駆動部１０と光学制御部１１と操作制御部１４とを有している。
【００１３】
映像入力端子部２は、ユーザの各種機器に接続される。ＡＶ機器の出力端子に接続ケーブルにて接続されるＨＤＭＩ（High-Definition Multimedia Interface）端子、ビデオ端子やコンピュータ機器の出力端子に接続ケーブルにて接続されるコンピュータのＲＧＢ端子等がある。
【００１４】
映像音声処理部３は、各機器から入力された映像データをＲＧＢのデジタル映像データに変換し、主制御部４に転送する。また、映像入力端子部２、主制御部４から入力された音声データをＤ／Ａ変換してスピーカー等の音声出力ユニット５に出力する。
【００１５】
主制御部４は、メインプロセッサであるＣＰＵ（Central Processing Unit）６と、各処理におけるデータを一時的に格納しておくメモリデバイスであるＳＤＲＡＭ（Synchronous Dynamic Random Access Memory）７と、制御プログラム等を記憶したＲＯＭ（Read Only Memory）８と、ＮＶＲＡＭ（Non Volatile Random Access Memory）９と、を含んで構成される。
【００１６】
ＮＶＲＡＭ９は、電源ＯＦＦ時にも設定情報等を記録しておくデータ保持メモリデバイスである。主制御部４は、映像音声処理部３より転送されるＲＧＢ映像データを表示すべく、ランプ駆動部１０と光学制御部１１とを制御する。
【００１７】
ランプ駆動部１０と光学制御部１１とは、主制御部４からの制御によって、ランプ１２と光学ユニット１３とを制御する。光学ユニット１３には、液晶ライトバルブ、カラーホイールやＤＭＤ(Digital Micromirror Device)等がある。さらに、映像をスクリーンに表示するための映像光を反射するミラー、拡大／縮小するレンズ等がある。
光学制御部１１には、液晶ライトバルブの駆動制御、カラーホイールやＤＭＤの駆動制御等がある。ランプ１２には、ランプ１２の他にＬＥＤやレーザー等がある。
【００１８】
操作制御部１４は、複数のキーを有するキーボードと状態を表示するＬＥＤとを含んで構成されている。キーボードには、プロジェクタ１の電源をＯＮ／ＯＦＦする電源キー、各種設定を行うメニューキー、↓キー、↑キー、←キー、→キー、決定キー、入力信号の切り替えを行うインプットキー等が設けられている。各種設定、入力切り替え時の映像データは、主制御部４によるＯＳＤ（On Screen Display）処理により形成される。
【００１９】
リモコン１５には、操作制御部１４と同じ機能を有する電源キー、メニューキー、↓キー、↑キー、←キー、→キー、決定キー、および各映像入力端子を切り替えるキー、数字入力の０〜９キー等が設けられ、各キーが押されると各キーに合ったコードを赤外線データで送信する。操作制御部１４はこの信号を受信し、主制御部４へ通知する。
また、プロジェクタ１は、映像撮像部１６と比較判断部１７と記憶部１８とを有している。
【００２０】
図２は、本実施形態に係るプロジェクタ１の各部の構成を示す図である。映像撮像部１６は、ユーザによるケーブル端子の接続状態を撮像する。映像には、ＲＧＢケーブルとＨＤＭＩケーブルとが撮像されている。
【００２１】
撮像された映像中にケーブル端子形状があるかどうかを記憶部１８からケーブル端子形状を取り出し、比較判断部１７で検出する。記憶登録されたケーブル端子形状は、ＲＧＢケーブルとＨＤＭＩケーブルとビデオケーブルであり、検出されたケーブル端子形状は、ＲＧＢケーブルとＨＤＭＩケーブルである。
【００２２】
検出された撮像映像から比較判断部１７は、ユーザがＰＣ等に接続しようとしているかどうかの動作判断を行う。接続動作の判断は、ケーブルがユーザの手に持たれ、移動したかどうかで判断する。撮像された映像で、ユーザはＲＧＢケーブルを手に持った状態であり、検出された動作はＲＧＢケーブルがユーザの手に持たれ、移動している。
【００２３】
接続動作であれば主制御部４に通知し、主制御部４は映像音声処理部３を制御し、入力端子を該当する入力端子に切り替える。ケーブル端子形状が無い場合、接続動作が無い場合は入力端子の切り替えは行わない。
【００２４】
図３は、映像入力端子の切り替え作業を示すフローチャートである。映像撮像部１６は、ユーザによるケーブル端子の接続状態を撮像する。撮像された映像を比較判断部１７に送る（ステップＳ１）。比較判断部１７は、合致するケーブル端子形状があるかどうかを記憶部１８からケーブル端子形状を呼び出し（ステップＳ２）、合致するかどうかを判断する（ステップＳ３）。
【００２５】
ケーブル端子形状が合致した場合は（ステップＳ３、Ｙｅｓ）、ユーザがＰＣ等にケーブルを接続しようとしている映像かどうかの動作判断を行うため、映像の経時撮像を行う（ステップＳ４）。接続動作の判断は、ケーブルがユーザの手に持たれ、移動したかどうかで判断する（ステップＳ５）。
【００２６】
接続しようとしているケーブル接続動作と判断した場合（ステップＳ５、Ｙｅｓ）、比較判断部１７は、合致したケーブル端子形状を主制御部４に通知し、主制御部４は映像音声処理部３を制御し、合致した入力端子に切り替える（ステップＳ６）。
【００２７】
ケーブル接続動作ではないと判断した場合は（ステップＳ５、Ｎｏ）、撮像された映像に他のケーブル端子があるかどうか判断を行うため、記憶部１８にまだケーブル端子形状があるかどうか判断する（ステップＳ７）。ケーブル端子形状がある場合は（ステップＳ７、Ｙｅｓ）、次のケーブル端子形状を呼び出し（ステップＳ２）、同様の処理を行う。ケーブル端子形状が無い場合は（ステップＳ７、Ｎｏ）、映像を撮像し、同様の処理を行う。
【００２８】
図２の実施形態では、比較判断部１７がＨＤＭＩケーブル端子形状を検出し、ケーブル接続動作があったかどうか判断する。経時撮像を行い、ケーブル接続動作無しと判断し、次に合致するケーブル端子形状を検出する。
【００２９】
ＲＧＢケーブル端子形状が合致し、ユーザの手に持たれ、移動したと判断し、ケーブル接続動作有りと判断する。主制御部４にＲＧＢケーブル端子が接続される通知を行い、主制御部４は映像音声処理部３を制御し、ＲＧＢケーブル端子入力であるコンピュータ入力に切り替える。
【００３０】
本実施形態によれば、カメラで撮像した映像中に映像入力ケーブルの端子がユーザの接続機器へ接続しようとしているかどうかの判断を行い、接続しようとしている場合に合致した映像入力端子に切り替えるので、ユーザによる映像入力端子の切り替え作業を軽減することができる。
【００３１】
なお、上述した実施の形態は、本発明の好適な実施の形態の一例を示すものであり、本発明はそれに限定されることなく、その要旨を逸脱しない範囲内において、種々変形実施が可能である。
【符号の説明】
【００３２】
１    プロジェクタ
２    映像入力端子部
３    映像音声処理部
４    主制御部
１６    映像撮像部
１７    比較判断部
１８    記憶部
【先行技術文献】
【特許文献】
【００３３】
【特許文献１】特許第３３３５９４８号公報
【図１】
2015154345.tif 000003
【図２】
2015154345.tif 000004
【図３】
2015154345.tif 000005